(57)【要約】【課題】本発明で、強固装置を有するモンキーレンチを提供する。【解決手段】本発明のモンキーレンチは、把持部と、ヘッド部と、可動顎と、調節装置と、強固装置とを備える。ヘッド部は、把持部の一端に形成され、固定顎と、滑り溝と、収容溝と、２つの側壁と、２つの接続部とを含む。滑り溝と収容溝とが貫通し、且つ２つの側壁の間に形成されている。各接続部はそれぞれ、固定顎の反対側にある側壁に形成されている。可動顎は、固定顎に相対して移動するように、ヘッド部の滑り溝に結合されている。調節装置は、ヘッド部の収容溝に収容され、軸棒とウォーム歯車とを含む。軸棒は、ウォーム歯車に挿入され、フォームと可動顎とが互いに係合されている。強固装置は、ヘッド部が備える２つの側壁の間に設けられ、且つ２つの接続部に固設される。【選択図】図２
2015098080.tif 000002
【特許請求の範囲】
【請求項１】
強固装置を有するモンキーレンチにおいて、
把持部と、
前記把持部の一端に形成され、固定顎と、滑り溝と、収容溝と、２つの側壁と、２つの接続部とを備えるヘッド部であって、前記固定顎は、前記２つの側壁の一端に形成され、前記滑り溝と前記収容溝とは、互いに貫通し、且つ前記２つの側壁の間に形成され、各接続部は、前記固定顎の反対側にある前記側壁に形成されている、ヘッド部と、
前記固定顎に相対して移動可能に前記ヘッド部の滑り溝内に結合される可動顎と、
前記ヘッド部の収容溝内に収容され、且つ軸棒とウォーム歯車を含む調節装置であって、前記軸棒は、ウォーム歯車に挿入され、前記ウォームと可動顎とは、互いに係合される調節装置と、
前記ヘッド部の２つの側壁の間に連結され、前記２つの接続部に設けられる強固装置とを備えることを特徴とするモンキーレンチ。
【請求項２】
前記ヘッド部の各接続部は、穴であり、前記固定顎が形成されない各側壁の端面から前記固定顎に向かって延伸して形成されることを特徴とする請求項１記載の強固装置を有するモンキーレンチ。
【請求項３】
前記ヘッド部の接続部は、溝状に前記各側壁に形成され、且つ固定顎に向かって延伸して形成されることを特徴とする請求項１記載の強固装置を有するモンキーレンチ。
【請求項４】
前記強固装置は、胴体部と２つの脚部とを含み、前記２つの脚部は、前記胴体部の異なる両端に形成され且つ前記ヘッド部の前記２つの接続部と係合することを特徴とする請求項２又は請求項３記載の強固装置を有するモンキーレンチ。
【請求項５】
前記強固装置は、接続具と、２つの接続穴と、２つの締め具とを含み、前記２つの接続穴は、前記ヘッド部の２つの接続部と対応するように前記接続具に形成され、前記２つの締め具は、前記２つの接続穴を通過した後、前記２つの接続部に結合されることを特徴とする請求項２又は請求項３記載の強固装置を有するモンキーレンチ。
【請求項６】
前記可動顎は、制動部と接触部を含み、前記制動部と前記接触部は、前記ヘッド部の滑り溝に滑動可能に結合され、前記制動部と前記ウォーム歯車とは、互いに係合され、前記接触部は、前記固定顎の反対側にある接触面を有し、前記接触面は、凹弧状に形成され、且つ前記強固装置の胴体部と接触することができることを特徴とする請求項４記載の強固装置を有するモンキーレンチ。
【請求項７】
前記可動顎は、前記制動部と前記接触部を含み、前記制動部と前記接触部は、前記ヘッド部の滑り溝に滑動可能に結合され、前記制動部と前記ウォーム歯車とは、互いに係合され、前記接触部は、前記固定顎の反対側にある接触面を有し、前記接触面は、凹弧状に形成され、且つ前記強固装置の接続具と接触することができることを特徴とする請求項５記載の強固装置を有するモンキーレンチ。
【請求項８】
前記ヘッド部は、軸穴をさらに含み、前記軸穴は、前記収容溝と貫通しており、前記軸棒の一端は、前記ウォーム歯車に挿入され、前記軸棒の他端は、前記軸穴に固設されることを特徴とする請求項１ないし請求項３のいずれか１項に記載の強固装置を有するモンキーレンチ。
【請求項９】
前記調節装置は、弾性具をさらに含み、前記弾性具は、前記収容溝の内壁面と前記ウォーム歯車との間に圧縮されることを特徴とする請求項８記載の強固装置を有するモンキーレンチ。
【発明の詳細な説明】
【技術分野】
【０００１】
本発明は、モンキーレンチに関し、特にモンキーレンチの構造を強化させて、使用者の不適切操作又は外力の衝撃などによって、モンキーレンチの滑り溝が備える２つの側壁面が変形することを防止し、且つモンキーレンチ製品の寿命を延長することができる、強固装置を有するモンキーレンチに関する。
【背景技術】
【０００２】
レンチは、てこ原理を利用して、ボルト、ナット、又は素手で回しにくい物品（例えば、固定金具）を回す手工具である。通常、レンチの把持部のいずれかの一端又は両端には、物品を挟み込むための開口部が設けられている。使用者が、物品が挟み込まれない把持部の他端に回動方向の外力を入れることにより、物品を回すことができる。レンチの種類が多いが、常用する一種がモンキーレンチである。モンキーレンチが幅広く使われている原因は、開口部の大きさを自由に調節することにより、さまざまなサイズの物品に応用させることができることにある。すなわち、サイズが異なる様々な物品に対しても、開口部の大きさが異なる複数のレンチを用意する必要がない。使用者が、一つのモンキーレンチだけを用意すると、複数の固定サイズのレンチのように使うことができるので、使用者に大きい利便性と適用性を与える。
【０００３】
通常のモンキーレンチは、米国特許第８１３６４２９号（特許文献１）「REVERSIBLE  MONKEY  WRENCH」に示すとおり、把持部（handle）と、ヘッド部（head）と、摺動顎（slidable  jaw）と、軸棒（axial  rod）と、ウォーム歯車（worm  gear）とを備える。ヘッド部は、把持部の一端に形成され、且つ固定顎（fixed  jaw）と、スライドレール（sliding  rail）と、収容溝（receiving  slot）とを含む。摺動顎の摺動棒（sliding  rod）は、滑動可能にスライドレールに設けられ、軸棒とウォーム歯車は、収容溝内に設けられる。フォームと摺動棒とが互いに係合されることにより、摺動顎が固定顎に相対して滑動することを制御し、且つ摺動顎と固定顎との間に形成される開口寸法を調節することとができるので、さまざまな寸法の物品を挟むことができる。しかし、前述したモンキーレンチを用いて物品を回すとき、物品に加えた回動力量の反力により、摺動顎の摺動棒がスライドレールを圧迫する。これにより、スライドレールが備える２つの側壁面が摺動棒の圧力によって変形し、モンキーレンチが損傷してしまう。
【先行技術文献】
【特許文献】
【０００４】
【特許文献１】米国特許第８１３６４２９号
【発明の概要】
【発明が解決しようとする課題】
【０００５】
本発明が解決しようとする技術課題は、従来のモンキーレンチの構造強度が足りなくて、物品を回すときの回動力量により破損することを防ぐことができるモンキーレンチを提供することにある。
【課題を解決するための手段】
【０００６】
上述した問題を解決するために、本発明により次のような強固装置を有するモンキーレンチを提供する。本発明のモンキーレンチは、主に把持部と、ヘッド部と、可動顎と、調節装置と、強固装置とを備える。ヘッド部は、把持部の一端に形成され、固定顎と、滑り溝と、収容溝と、２つの側壁と、２つの接続部とを含む。固定顎は、２つの側壁の一端に形成されている。滑り溝と収容溝とは、互いに貫通し、且つ２つの側壁の間に形成されている。各接続部はそれぞれ、固定顎の反対側にある側壁に形成されている。可動顎は、滑動可能にヘッド部の滑り溝内に設けられ、且つ固定顎に相対して移動することができる。調節装置は、ヘッド部の収容溝に収容され、且つ軸棒とウォーム歯車を含む。軸棒は、ウォーム歯車に挿入され、フォーム歯車と可動顎は、互いに係合される。強固装置は、ヘッド部が備える２つの側壁の間に連結され、且つ２つの接続部に固設される。
【発明の効果】
【０００７】
上述した本発明のモンキーレンチによる技術的効果は、以下のとおりである。固定金具を固定顎と可動顎との間に形成される開口部に挟み込んで回すことができる。この場合、強固装置の胴体部が２つの側壁の間に連結されていることにより、構造強度を強化し、２つの側壁が可動顎の回転力によって変形することを避け、モンキーレンチの寿命を大幅に増加することができる。
【０００８】
また、上述したとおり、可動顎は、制動部と、接触部とを含み、制動部と接触部は、ヘッド部の滑り溝に滑動可能に結合される。制動部とフォーム歯車とが互いに係合されているので、ウォーム歯車を回すとき、可動顎が連動され、且つ固定顎に相対して滑動することができる。接触部は、固定顎の反対側にある接触面を有している。接触面は、凹弧状に形成され、強固装置の胴体部と接触することができる。、ウォーム歯車を回すとき、可動顎が連動され、且つ固定顎に相対して滑動することにより、固定顎と可動顎との間に形成される開口部の大きさを調節することができる。触面が強固装置の胴体部に当接するときに、最大の開口寸法が得られる。固定金具のサイズに応じて開口部の大きさを自由に調節することができるので、モンキーレンチの応用範囲を広げることができる。
【図面の簡単な説明】
【０００９】
【図１】本発明の第１実施例に係る強固装置を有するモンキーレンチを示す立体外観図である。
【図２】図１のモンキーレンチの局部を示す分解図である。
【図３】図１のモンキーレンチで固定金具を挟む状態を示す局所断面図である。
【図４】図１のモンキーレンチの断面を示す図である。
【図５】本発明の第２実施例に係る強固装置を有するモンキーレンチを示す立体外観図である。
【図６】図５のモンキーレンチの局部を示す分解図である。
【図７】本発明の第３実施例に係る強固装置を有するモンキーレンチを示す立体外観図である。
【図８】図７のモンキーレンチの局部を示す分解図である。
【発明を実施するための形態】
【００１０】
図１〜図４を参照すると、本発明の第一実施例に係る強固装置を有するモンキーレンチの立体外観図と、局所分解図と、断面図などが示されている。本発明の強固装置を有するモンキーレンチは、把持部１０と、ヘッド部２０と、可動顎３０と、調節装置４０と、強固装置５０とを備える。把持部１０は、使用者の把持に用いられる。ヘッド部２０は、把持部１０の一端に形成されているが、把持部１０の異なる両端にヘッド部２０を１つずつ形成してもよい。ヘッド部２０は、固定顎２１と、滑り溝２２と、収容溝２３と、２つの側壁２４と、２つの接続部２５とを含む。固定顎２１は、２つの側壁２４の一端に形成され、滑り溝２２と収容溝２３は、互いに貫通し、且つ滑り溝２２は２つの側壁２４の間に形成されている。本実施例において、各接続部２５は、穴であり、且つ固定顎２１が形成されない各側壁２４の端面２４１から固定顎２１に向かって延伸して形成される。可動顎３０は、固定顎２１に相対して移動するようにヘッド部２０の滑り溝２２内に結合されている。調節装置４０は、ヘッド部２０の収容溝２３に収容され、且つ軸棒４１とウォーム歯車４２を含む。軸棒４１をウォーム歯車４２に挿入する場合、ウォーム歯車４２が軸棒４１上で回転しながら移動することができる。ウォーム歯車４２と可動顎３０は、互いに係合されている。強固装置５０は、ヘッド部２０が備える２つの側壁２４の間に連結される。具体的には、２つの側壁２４の２つの接続部２５に挿入される。
【００１１】
強固装置５０は、一体型構造の略Ｕ字形体である。強固装置５０は、胴体部５１と、２つの脚部５２とを含む。２つの脚部５２はそれぞれ、胴体部５１の異なる両端に形成され、且つ各脚部５２の延伸方向が胴体部５１にほぼ垂直である。２つの脚部５２は、ヘッド部２０の２つの接続部２５に安定に係合され、胴体部５１は、各側壁２４の端面２４１に緊密に当接される。
【００１２】
固定金具を固定顎２１と可動顎３０との間に形成される開口部に挟み込んで回すことができる。この場合、強固装置５０の胴体部５１が２つの側壁２４の間に連結されていることにより、モンキーレンチの構造強度を強化し、可動顎３０の回転によって２つの側壁２４が変形することを避け、モンキーレンチの寿命を大幅に増加することができる。
【００１３】
可動顎３０は、制動部３１と接触部３２を含み、制動部３１と接触部３２は、ヘッド部２０の滑り溝２２に滑動可能に結合される。制動部３１とフォーム歯車４２とが互いに係合されているので、ウォーム歯車４２を回するとき、可動顎３０が連動され、且つ固定顎２１に相対して滑動することができる。接触部３２は、固定顎２１の反対側にある接触面３２１を有している。接触面３２１は、凹弧状に形成され、強固装置５０の胴体部５１と接触することができる。ウォーム歯車４２を回するとき、可動顎３０が連動され、且つ固定顎２１に相対して滑動することにより、固定顎２１と可動顎３０との間に形成される開口部の大きさを調節することができる。触面３２１が強固装置５０の胴体部５１に当接するときに、最大の開口寸法が得られる。固定金具のサイズに応じて開口部の大きさを自由に調節することができるので、モンキーレンチの応用範囲を広げることができる。
【００１４】
ヘッド部２０は、軸穴２６をさらに含み、該軸穴２６は、収容溝２３と貫通している。軸棒４１の一端は、ウォーム歯車４２に挿入され、軸棒４１の他端は、ねじ結合方式により軸穴２６に結合される。調節装置４０は、弾性具４３をさらに含み、該弾性具４３は、軸棒４１上に取り付けられ、且つ収容溝２３の内壁面２３１とウォーム歯車４２との間に圧縮されている。
【００１５】
図５〜図６を参照すると、本発明の第二実施例に係る強固装置を有するモンキーレンチの立体外観図と局所分解図が示されている。本発明の第２実施例と第１実施例の構造がほぼ同じであるので、第２実施例の同じ構造については、第１実施例の符号をそのまま使用し、説明は省略する。本発明の第２実施例と第１実施例との間の相違点は、第２実施例の強固装置５０ａが接続具５１ａと、２つの接続穴５２ａと、２つの締め具５３ａとを含むことにある。２つの接続穴５２ａはそれぞれ、ヘッド部２０の２つの接続部２５と対応するように、接続具５１ａに形成されている。２つの締め具５３ａはそれぞれ、２つの接続穴５２ａを通過した後、２つの接続部２５に結合される。接続具５１ａはそれぞれ側壁２４の端面２４１に当接される。接触面３２１は、凹弧状に形成され、且つ接続具５１ａと接触することができる。
【００１６】
固定金具を固定顎２１と可動顎３０との間に形成される開口部に挟み込んで回すことができる。この場合、強固装置５０ａの接続具５１ａが２つの側壁２４の間に連結されていることにより、構造強度を強化し、２つの側壁２４が可動顎３０の回転によって変形することを避け、モンキーレンチの寿命を大幅に増加することができる。
【００１７】
図７〜図８を参照すると、本発明の第３実施例に係る強固装置を有するモンキーレンチの立体外観図と、局所分解図が示されている。本発明の第３実施例と第１実施例の構造がほぼ同じであるので、第３実施例の同じ構造については、第１実施例の符号をそのまま使用し、説明は省略する。本発明の第３実施例と第１実施例との間の相違点は、ヘッド部２０の各接続部２５ａが凹み溝状に各側壁２４の側面２４２に形成されることにある。各接続部２５ａは、固定顎２１に向かって延伸して形成され、且つ側面２４２の延伸方向と端面２４１の延伸方向とが略垂直状である。強固装置５０の２つの脚部５２は、ヘッド部２０の２つの接続部２５ａに安定に係合される。
【００１８】
上述した本発明のモンキーレンチによる技術的効果を説明すると、以下のとおりである。固定金具を固定顎２１と可動顎３０との間に形成される開口部に挟み込んで回すことができる。この場合、強固装置５０の胴体部５１が２つの側壁２４の間に連結されることにより、構造強度を強化し、２つの側壁２４が可動顎３０の回転力によって変形することを避け、モンキーレンチの寿命を大幅に増加することができる。
【００１９】
また、上述したとおり、可動顎３０は、制動部３１と、接触部３２とを含み、制動部３１と接触部３２は、ヘッド部２０の滑り溝２２に滑動可能に結合される。制動部３１とフォーム歯車４２とが互いに係合されているので、ウォーム歯車４２を回すとき、可動顎３０が連動され、且つ固定顎２１に相対して滑動することができる。接触部３２は、固定顎２１の反対側にある接触面３２１を有している。接触面３２１は、凹弧状に形成され、強固装置５０の胴体部５１と接触することができる。ウォーム歯車４２を回すとき、可動顎３０が連動され、且つ固定顎２１に相対して滑動することにより、固定顎２１と可動顎３０との間に形成される開口部の大きさを調節することができる。触面３２１が強固装置５０の胴体部５１に当接するとき、最大の開口寸法が得られる。固定金具のサイズに応じて開口部の大きさを自由に調節することができるので、モンキーレンチの応用範囲を広げることができる。
【符号の説明】
【００２０】
２０  ヘッド部
２１  固定顎
２２  滑り溝
２３  収容溝
２３１  内壁面
２４  側壁
２４１  端面
２４２  側面
２５  接続部
２６  軸穴
３０  可動顎
３１  制動部
３２  接触部
３２１  接触面
４０  調節装置
４１  軸棒
４２  ウォーム歯車
４３  弾性具
５０  強固装置
５１  胴体部
５２  脚部
２５ａ  接続部
５０ａ  強固装置
５１ａ  連結具
５２ａ  接続穴
５３ａ  締め具
【図１】
2015098080.tif 000003
【図２】
2015098080.tif 000004
【図３】
2015098080.tif 000005
【図４】
2015098080.tif 000006
【図５】
2015098080.tif 000007
【図６】
2015098080.tif 000008
【図７】
2015098080.tif 000009
【図８】
2015098080.tif 000010
【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
強固装置を有するモンキーレンチにおいて、
把持部と、
前記把持部の一端に形成されかつ固定顎、滑り溝、収容溝、２つの側壁及び２つの接続部を備えるヘッド部であって、前記固定顎は前記２つの側壁の一端に形成され、前記滑り溝と前記収容溝とは、互いに貫通しかつ前記２つの側壁の間に形成され、各接続部は前記固定顎の反対側にある前記側壁に形成されている、ヘッド部と、
前記固定顎に相対して移動可能に前記ヘッド部の滑り溝内に結合される可動顎と、
前記ヘッド部の収容溝内に収容され、かつ軸棒及びウォーム歯車を含む調節装置であって、前記軸棒はウォーム歯車に挿入され、前記ウォームと可動顎とは互いに係合される調節装置と、
前記ヘッド部の２つの側壁の間に連結され、かつ前記２つの接続部に設けられる強固装置とを備えることを特徴とするモンキーレンチ。
【請求項２】
前記ヘッド部の各接続部は穴であり、前記固定顎が形成されない各側壁の端面から前記固定顎に向かって延伸して形成されることを特徴とする請求項１記載の強固装置を有するモンキーレンチ。
【請求項３】
前記ヘッド部の接続部は、溝状に前記各側壁に形成され、かつ固定顎側に延伸して形成されることを特徴とする請求項１記載の強固装置を有するモンキーレンチ。
【請求項４】
前記強固装置は胴体部と２つの脚部とを含み、該２つの脚部は、前記胴体部の異なる両端に形成されかつ前記ヘッド部の前記２つの接続部と係合することを特徴とする請求項２又は請求項３記載の強固装置を有するモンキーレンチ。
【請求項５】
前記強固装置は、接続具、２つの接続穴及び２つの締め具を含み、該２つの接続穴は前記ヘッド部の２つの接続部と対応するように前記接続具に形成され、前記２つの締め具は、前記２つの接続穴を通過した後前記２つの接続部に結合されることを特徴とする請求項２又は請求項３記載の強固装置を有するモンキーレンチ。
【請求項６】
可動顎は制動部と接触部を含み、該制動部と該接触部は前記ヘッド部の滑り溝に滑動可能に結合され、前記制動部とウォーム歯車とは互いに係合され、前記接触部は固定顎の反対側にある接触面を有し、該接触面は、凹弧状に形成されかつ前記強固装置の胴体部と接触することができることを特徴とする請求項４記載の強固装置を有するモンキーレンチ。
【請求項７】
前記可動顎は前記制動部と前記接触部を含み、該制動部と該接触部は前記ヘッド部の滑り溝に滑動可能に結合され、前記制動部と前記ウォーム歯車とは互いに係合され、前記接触部は前記固定顎の反対側にある接触面を有し、該接触面は、凹弧状に形成されかつ前記強固装置の接続具と接触することができることを特徴とする請求項５記載の強固装置を有するモンキーレンチ。
【請求項８】
前記ヘッド部は軸穴を更に含み、該軸穴は前記収容溝と貫通しており、前記軸棒の一端は前記ウォーム歯車に挿入され、前記軸棒の他端は前記軸穴に固設されることを特徴とする請求項１ないし請求項３のいずれか１項に記載の強固装置を有するモンキーレンチ。
【請求項９】
前記調節装置は弾性具を更に含み、該弾性具は前記収容溝の内壁面と前記ウォーム歯車との間に圧縮されることを特徴とする請求項８記載の強固装置を有するモンキーレンチ。